(57)【要約】【課題】面状照明装置の狭額縁化を促進し、かつ、面状照明装置における光学シートの位置決めを確実に行う。【解決手段】光学シート１８の、導光板の入光面との対向面側の端縁部１８ｂに、フレーム１６の内周面へ向けて突出する凸部１８ｂＡが形成されている。凸部１８ｂＡが、フレーム１６の、凸部１８ｂＡとの対向部位に形成された凹部１６ｄＡに、係合するようにして凹部内に配置されることで、フレーム１６に対する光学シート１８の位置決めがなされる。このように、凹部１８ｂＡが、フレーム１６の、導光板の入光面との対向面側の端縁部に係る部分に形成されることから、特に、フレーム１６の導光板の入光面と直交する方向に延びる部分に、凹部を形成する必要が無く、この部分の狭額縁化を促進することが可能となる。【選択図】図１
2014026920.tif 000002
【特許請求の範囲】
【請求項１】
対向する一対の主面の一方を光の出射面とする導光板と、該出射面に積層配置される少なくとも１枚の光学シートと、前記出射面の有効エリアを規定する遮光部材と、前記導光板の入光面に対向して配置される光源と、これらの構成要素を収納するためのフレームとを含む面状照明装置であって、
前記光学シートは、前記導光板の入光面との対向面側の端縁部に、前記フレームの内周面へ向けて突出する凸部が形成され、前記フレームの前記凸部との対向部位に、前記凸部が配置される凹部が形成されていることを特徴とする面状照明装置。
【請求項２】
前記光学シートの凸部は、少なくともその先端部が基端部に比して前記光学シートの面方向に広がる拡幅部を有し、前記フレームの前記凹部に、前記凸部の拡幅部と相補的な関係を有する拡幅部を有することを特徴とする請求項１記載の面状照明装置。
【請求項３】
前記光学シートの凸部及び前記フレームの凹部は二箇所以上設けられており、そのうちの少なくとも一箇所が、他の箇所と異なる形状を有していることを特徴とする請求項１又は２記載の面状照明装置。
【請求項４】
前記光学シートの、他の箇所と異なる形状を有している少なくとも一箇所の凸部に切り欠き形状が形成されていることを特徴とする請求項３記載の面状照明装置。
【請求項５】
前記光学シートを複数備え、前記出射面から数えた積層段が上段の光学シートほど、前記導光板の入光面側の端縁部の位置が、前記導光板の入光面から離間するように形成され、かつ、前記遮光部材が、前記導光板の入光面側から前記複数の光学シートの各端縁部近傍を覆うようにして延び、各光学シートに固定されていることを特徴とする請求項１から４のいずれか１項記載の面状照明装置。
【請求項６】
前記導光板の出射面の、前記入光面から中央部寄りの所定幅の範囲には、前記対向する一対の主面間の厚みを導光板の中央部に向けて薄くする傾斜面が形成され、該傾斜面よりも中央部寄りの範囲は一定の厚みとなっており、
前記複数の光学シートの、前記導光板の入光面側の端縁部から所定幅の範囲が、前記導光板の出射面に形成された傾斜面に倣って傾斜していることを特徴とする請求項５記載の面状照明装置。
【請求項７】
前記複数の光学シートのうち、前記出射面から数えた積層段が最上段に位置する光学シートは、その下段に位置する光学シートの傾斜面に掛かることなく、前記導光板の一定の厚みの部分の出射面と平行に配置されていることを特徴とする請求項６記載の面状照明装置。
【請求項８】
前記複数の光学シートのうち、前記出射面から数えた積層段が最上段に位置する光学シートの上面と、その直ぐ下段に位置する光学シートの、前記導光板の入光面側の端縁部の上側エッジとの、前記複数の光学シートの積層方向に係る位置が、一致ないし略一致していることを特徴とする請求項７記載の面状照明装置。
【請求項９】
前記複数の光学シートのうち、前記出射面から数えた積層段が最下段に位置する光学シートの、前記導光板の入光面側の端縁部の上側エッジに対し、その直ぐ上段に位置する光学シートの、前記導光板の入光面側の端縁部の上側エッジの、前記複数の光学シートの積層方向に係る位置が、下方に位置していることを特徴とする請求項６から８のいずれか１項記載の面状照明装置。
【請求項１０】
前記複数の光学シートは、前記導光板の出射面から数えた積層段が一段目の第１シートと、該第１シート上に積層される第２シートと、該第２シート上に積層される第３シートとを含むことを特徴とする請求項５から９のいずれか１項記載の面状照明装置。
【発明の詳細な説明】
【技術分野】
【０００１】
本発明は、液晶表示装置等の照明手段として用いられる面状照明装置に関するものである。
【背景技術】
【０００２】
今日、パーソナルコンピュータや携帯電話等の電子装置の表示デバイスとして、液晶表示装置が一般的に使用されている。液晶は自発光型の表示素子ではないため、例えば透過型の液晶表示装置では、その液晶パネルに対して光を照射する照明手段が必須であり、外光を利用する半透過型の液晶表示装置でも、暗所での使用を可能にするために補助的な照明手段を備えている。このような液晶表示装置の照明手段としては、導光板と導光板の側方に配置された光源とを主要な構成要素とする面状照明装置が、薄型化が容易であるという利点を有することから、液晶表示装置と組合せて広く使用されている。又、近年の白色発光ダイオード（ＬＥＤ）の高性能化に伴い、面状照明装置のさらなる小型・薄型化及び低消費電力化を図るため、光源として白色ＬＥＤを使用した面状照明装置も一般的となっている。
【０００３】
このような面状照明装置を備える表示装置の一例を、図７に示している。図７において、表示装置１００は、一対のガラス基板１１２及び偏光板１１４からなる液晶表示パネル（ＬＣＤ）１１０と、ＬＣＤ１１０の裏面側に配置された、対向する一対の主面の一方（表面）を光の出射面とする導光板１１６と、導光板１１６の裏面側に配置された反射シート１１８と、ＬＣＤ１１０及び導光板１１６の間に配置された複数層（図７の例では４層）の光学シート１２０といった、複数の板状（又はシート状）部材を構成要素として含んでいる。そして、これらの構成要素が、導光板１１６の入光面１１６ａ（図７（ｃ））に対向して配置される白色ＬＥＤ等の点状光源１２２と共に、合成樹脂材料からなるフレーム１２４の枠状内部に格納され、一体の表示装置１００として構成されたものである。
【０００４】
このような構成を有する表示装置１００において、ＬＣＤ１１０は、フレーム１２４の内側に突出するように形成された取付座１２４ａに対して、両面テープ１２６（図７（ｂ））を介して固定されている。又、光学シート１２０は、例えば、拡散シート、プリズムシート等を含み、ＬＣＤ１１０と同様に、両面テープ１２６を介してフレーム１２４の取付座１２４ａに固定されている。更に、反射シート１１８についても、フレーム１２４の内側に突出するように形成された取付座１２４ｂに対して、両面テープ１２７によって固定されている。更に、点状光源１２２と導光板１１６の入光面１１６ａ（図７（ｃ））とを覆う遮光部材１２８が配置されている。なお、図７（ｃ）中の符号１３０は両面テープ、符号１３２は点状光源の配線基板である。（例えば、特許文献１参照）。
又、光学シート１２０の位置決めを確実にするために、光学シート１２０の、点状光源１２２が配置される側の端辺と直交する端辺には、図６（ａ）に示されるようなタブ１２０ａが形成され、フレーム１２４の対応する位置には、タブ１２０ａを受け入れるための相補的な形状を有する凹部１２４ｃが形成されている。よって、光学シート１２０は、フレーム１２４に対して、図６（ａ）に示されるように、互いに直交する矢印Ａ方向（導光板１１６の入光面１１６ａと直交する方向）、及び、Ｂ方向（導光板１１６の入光面１１６ａと平行な方向）の位置決めがなされるものとなる（例えば、特許文献２、３参照）。
【先行技術文献】
【特許文献】
【０００５】
【特許文献１】特開２０１０−２２４０００号公報
【特許文献２】特開２００９−２６５２３７号公報
【特許文献３】特開２００６−１５４３２０号公報
【発明の概要】
【発明が解決しようとする課題】
【０００６】
上述の如く、表示装置１００は、ＬＣＤ１１０を額縁状に囲むように配置されるフレーム１２４によって、必要な構成部品が一体に保持され、かつ、必要な強度が確保される構造を有している。ところで、表示装置１００の小型化といった機能性の観点のみならず、デザイン上の観点からも、表示装置１００に対する狭額縁化は常に要請されている。この狭額縁化を促進するために、フレーム１２４の厚み（図６（ａ）の矢印Ｂ方向の厚み）を薄くしていくと、光学シート１２０のタブ１２０ａを受け入れるための凹部１２４ｃを確保することが困難となる。そして、光学シート１２０の位置決めが不十分となるおそれがあることから、表示装置１００の狭額縁化の要請を満たす上での障害となっている。
本発明は、上記課題に鑑みてなされたものであり、その目的とするところは、面状照明装置の更なる狭額縁化、特に、少なくとも導光板の入光面と直交する方向に延びるフレームの狭額縁化を促進し、かつ、面状照明装置における光学シートの位置決めを確実に行うことを可能とすることにある。
【課題を解決するための手段】
【０００７】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【０００８】
（１）対向する一対の主面の一方を光の出射面とする導光板と、該出射面に積層配置される少なくとも１枚の光学シートと、前記出射面の有効エリアを規定する遮光部材と、前記導光板の入光面に対向して配置される光源と、これらの構成要素を収納するためのフレームとを含む面状照明装置であって、前記光学シートは、前記導光板の入光面との対向面側の端縁部に、前記フレームの内周面へ向けて突出する凸部が形成され、前記フレームの前記凸部との対向部位に、前記凸部が配置される凹部が形成されている面状照明装置（請求項１）。
本項に記載の面状照明装置は、光学シートの、導光板の入光面との対向面側の端縁部に、フレームの内周面へ向けて突出する凸部が形成されたものである。そして、この凸部が、フレームの凸部との対向部位に形成された凹部に、係合するようにして凹部内に配置されることで、フレームに対する光学シートの位置決めがなされるものである。この構成によれば、凹部が、フレームの、導光板の入光面との対向面側の端縁部に係る部分に形成され、これら凸部及び凹部が、光学シートとフレームとの位置決め機能を発揮することから、特に、フレームの導光板の入光面と直交する方向に延びる部分に、凹部を形成する必要が無く、この部分の狭額縁化を促進するものとなる。
【０００９】
（２）上記（１）項において、前記光学シートの凸部は、少なくともその先端部が基端部に比して前記光学シートの面方向に広がる拡幅部を有し、前記フレームの前記凹部に、前記凸部の拡幅部と相補的な関係を有する拡幅部を有する面状照明装置（請求項２）。
本項に記載の面状照明装置は、光学シートの凸部の、少なくともその先端部が基端部に比して前記光学シートの面方向に広がる拡幅部と、フレームの凹部の、凸部の拡幅部と相補的な関係を有する拡幅部とにより、フレームから光学シートが離間する方向の相対移動を規制する、いわゆるアンダーカット構造を構成するものである。そして、このアンダーカット構造により、フレームと光学シートとの位置決め機能を高めるものである。
【００１０】
（３）上記（１）（２）項において、前記光学シートの凸部及び前記フレームの凹部は二箇所以上設けられており、そのうちの少なくとも一箇所が、他の箇所と異なる形状を有している面状照明装置（請求項３）。
本項に記載の面状照明装置は、光学シートの凸部及びフレームの凹部は二箇所以上設けられていることで、各箇所におけるこれら凸部及び凹部が、光学シートとフレームとの位置決め機能を発揮するものである。しかも、他の箇所と異なる形状を有する少なくとも一箇所の凸部が、光学シートの表裏、上下の判別手段として機能するものである。
【００１１】
（４）上記（３）項において、前記光学シートの、他の箇所と異なる形状を有している少なくとも一箇所の凸部に切り欠き形状が形成されている面状照明装置（請求項４）。
本項に記載の面状照明装置は、光学シートの、他の箇所と異なる形状を有している少なくとも一箇所の凸部に形成された切り欠き形状によっても、光学シートの表裏、上下の判別を行なうものである。
（５）上記（４）項において、前記光学シートの凸部の切り欠き形状と対応する凸形状が、対応する前記フレームの凹部に形成されている面状照明装置。
本項に記載の面状照明装置は、これら切り欠き形状及び凸形状の係合によって、フレームと光学シートとの位置決め機能を更に高めるものとなる。
【００１２】
（６）上記（１）から（５）項において、前記光学シートを複数備え、前記出射面から数えた積層段が上段の光学シートほど、前記導光板の入光面側の端縁部の位置が、前記導光板の入光面から離間するように形成され、かつ、前記遮光部材が、前記導光板の入光面側から前記複数の光学シートの各端縁部近傍を覆うようにして延び、各光学シートに固定されている面状照明装置（請求項５）。
本項に記載の面状照明装置は、光学シートを複数備える場合には、出射面から数えた積層段が上段の光学シートほど、導光板の入光面側の端縁部の位置が、導光板の入光面から離間するように形成されることにより、導光板の出射面を平面視する態様で、各光学シートの、導光板の入光面側の端縁部が、各々の上段に位置する光学シートに覆われることなく露出する。この、各光学シートの露出する端縁部に、遮光部材が、導光板の入光面側から複数の光学シートの各端縁部近傍を覆うようにして延びることで、全ての光学シートの各端縁部近傍の露出部分が、遮光部材によって固定されるものである。なお、各光学シートに対する遮光部材の固定には、例えば、両面テープや接着剤等を用いることとする。
【００１３】
（７）上記（６）項において、前記導光板の出射面の、前記入光面から中央部寄りの所定幅の範囲には、前記対向する一対の主面間の厚みを導光板の中央部に向けて薄くする傾斜面が形成され、該傾斜面よりも中央部寄りの範囲は一定の厚みとなっており、前記複数の光学シートの、前記導光板の入光面側の端縁部から所定幅の範囲が、前記導光板の出射面に形成された傾斜面に倣って傾斜している面状照明装置（請求項６）。
本項に記載の面状照明装置は、複数の光学シートの、導光板の入光面側の端縁部から所定幅の範囲が、導光板の出射面に形成された傾斜面に倣って傾斜していることにより、導光板の入光面側から複数の光学シートの各端縁部近傍を覆うようにして延びる遮光部材が、各光学シートの傾斜面に沿って固定される。これによって、導光板の入光面側から延びる遮光部材に、急峻な折り曲げ部が形成されることを防ぎ、各光学シートに対する遮光部材の固定強度を十分に確保するものである。
【００１４】
（８）上記（７）項において、前記複数の光学シートのうち、前記出射面から数えた積層段が最上段に位置する光学シートは、その下段に位置する光学シートの傾斜面に掛かることなく、前記導光板の一定の厚みの部分の出射面と平行に配置されている面状照明装置（請求項７）。
本項に記載の面状照明装置は、出射面から数えた積層段が最上段に位置する光学シートについては、導光板の一定の厚みの部分の出射面と平行に配置されることで、導光板の入光面側から複数の光学シートの各端縁部近傍を覆うようにして延びる遮光部材の先端部の近傍も、最上段に位置する光学シート上で、導光板の出射面と平行に配置されることとなる。そして、導光板の出射面と平行な遮光部材の面上に、ＬＣＤの偏光フィルム等の被照明体を搭載することで、被照明体の安定を図るものである。
【００１５】
（９）上記（８）項において、前記複数の光学シートのうち、前記出射面から数えた積層段が最上段に位置する光学シートの上面と、その直ぐ下段に位置する光学シートの、前記導光板の入光面側の端縁部の上側エッジとの、前記複数の光学シートの積層方向に係る位置が、一致ないし略一致している面状照明装置（請求項８）。
本項に記載の面状照明装置は、最上段に位置する光学シートの上面と、その直ぐ下段に位置する光学シートの、導光板の入光面側の端縁部の上側エッジとの、光学シートの積層方向に係る位置が一致ないし略一致していることによって、遮光部材の先端部近傍の、光学シートの積層方向に係る位置が、導光板の出射面と平行に配置されることとなる。すなわち、遮光部材の先端部近傍は、最上段に位置する光学シートの上面のみならず、その直ぐ下段に位置する光学シートの端縁部の上側エッジによっても、複数の光学シートの積層方向に係る位置が、一致ないし略一致する態様で支持されることで、遮光部材の先端部近傍は、より広範囲に渡り、導光板の出射面と平行に、安定支持されるものとなる。なお、本説明において、「略一致」の語は、各構成要素の寸法精度や組付精度の観点から、許容可能な範囲での不一致を許容する趣旨である。
【００１６】
（１０）上記（７）から（９）項において、前記複数の光学シートのうち、前記出射面から数えた積層段が最下段に位置する光学シートの、前記導光板の入光面側の端縁部の上側エッジに対し、その直ぐ上段に位置する光学シートの、前記導光板の入光面側の端縁部の上側エッジの、前記複数の光学シートの積層方向に係る位置が、下方に位置している面状照明装置（請求項９）。
本項に記載の面状照明装置は、出射面から数えた積層段が最下段に位置する光学シートの、導光板の入光面側の端縁部の上側エッジに対し、その直ぐ上段に位置する光学シートの、導光板の入光面側の端縁部の上側エッジの、複数の光学シートの積層方向に係る位置が、下方に位置していることで、導光板の入光面側から複数の光学シートの各端縁部近傍を覆うようにして延びる遮光部材が、出射面から数えた積層段が最下段に位置する光学シートの傾斜面に倣って傾斜面を構成することとなる。そして、最下段に位置する光学シートから、その直ぐ上段に位置する光学シートへと遮光部材が乗り越える位置に至るまで、遮光部材の傾斜面を維持する。これによって、遮光部材に急峻な折り曲げ部が形成されることを防ぎ、各光学シートに対する遮光部材の固定強度を十分に確保するものである。
【００１７】
（１１）上記（６）から（１０）項において、前記複数の光学シートは、前記導光板の出射面から数えた積層段が一段目の第１シートと、該第１シート上に積層される第２シートと、該第２シート上に積層される第３シートとを含む面状照明装置（請求項１０）。
本項に記載の面状照明装置は、導光板の出射面に積層配置される複数の光学シートが、第１シート、第２シート及び第３シートを含み、これら各シートによって、上記（６）から（１０）項記載の所定の作用を奏するものである。
【００１８】
（１２）対向する一対の主面の一方を光の出射面とする導光板と、該出射面に積層配置される少なくとも１枚の光学シートと、前記出射面の有効エリアを規定する遮光部材と、前記導光板の入光面に対向して配置される光源と、これらの構成要素を収納するためのフレームとを含む面状照明装置の、前記光学シートの固定方法であって、前記光学シートの、前記導光板の入光面との対向面側の端縁部に、前記フレームの内周面へ向けて突出する凸部を形成し、前記フレームの前記凸部との対向部位に、前記凸部が配置される凹部を形成する固定方法。
（１３）上記（１２）項において、前記光学シートの凸部に、前記フレームの内周面へ向かう方向に従い前記光学シートの面方向に広がる拡幅部を設け、前記フレームの前記凹部に、前記凸部の拡幅部と相補的な関係を有する拡幅部を設ける固定方法。
（１４）上記（１２）（１３）項において、前記光学シートの凸部及び前記フレームの凹部を二箇所以上設け、そのうちの少なくとも一箇所を、他の箇所と異なる形状に形成する固定方法。
（１５）上記（１４）項において、前記光学シートの、他の箇所と異なる形状を有している少なくとも一箇所の凸部に切り欠き形状を形成する固定方法。
（１６）上記（１５）項において、前記光学シート凸部の切り欠き形状と対応する凸形状が、対応する前記フレームの凹部に形成する固定方法。
【００１９】
（１７）上記（１２）から（１６）項において、前記光学シートを複数備え、前記出射面から数えた積層段が上段の光学シートほど、前記導光板の入光面側の端縁部の位置が、前記導光板の入光面から離間するように形成し、かつ、前記遮光部材を、前記導光板の入光面側から前記複数の光学シートの各端縁部近傍を覆うようにして延ばし、各光学シートに固定する固定方法。
（１８）上記（１７）項において、前記導光板の出射面の、前記入光面から中央部寄りの所定幅の範囲に、前記対向する一対の主面間の厚みを導光板の中央部に向けて薄くする傾斜面を形成し、該傾斜面よりも中央部寄りの範囲を一定の厚みとし、前記複数の光学シートの、前記導光板の入光面側の端縁部から所定幅の範囲を、前記導光板の出射面に形成された傾斜面に倣って傾斜させる固定方法。
【００２０】
（１９）上記（１８）項において、前記複数の光学シートのうち、前記出射面から数えた積層段が最上段に位置する光学シートが、その下段に位置する光学シートの傾斜面に掛かることなく、前記導光板の一定の厚みの部分の出射面と平行に配置する固定方法。
（２０）上記（１９）項において、前記複数の光学シートのうち、前記出射面から数えた積層段が最上段に位置する光学シートの上面と、その直ぐ下段に位置する光学シートの、前記導光板の入光面側の端縁部の上側エッジとの、前記複数の光学シートの積層方向に係る位置を、一致ないし略一致させる固定方法。
【００２１】
（２１）上記（１８）から（２０）項において、前記複数の光学シートのうち、前記出射面から数えた積層段が最下段に位置する光学シートの、前記導光板の入光面側の端縁部の上側エッジに対し、その直ぐ上段に位置する光学シートの、前記導光板の入光面側の端縁部の上側エッジの、前記複数の光学シートの積層方向に係る位置を、下方に配置する固定方法。
（２２）上記（１７）から（２１）項において、前記複数の光学シートに、前記導光板の出射面から数えた積層段が一段目の第１シートと、該第１シート上に積層する第２シートと、該第２シート上に積層する第３シートとを含む固定方法。
そして、上記（１２）から（２２）項に記載の、光学シートの固定方法によれば、各々、上記（１）から（１１）項の面状照明装置に対応する作用を奏するものである。
【発明の効果】
【００２２】
本発明はこのように構成したので、面状照明装置の更なる狭額縁化、特に、少なくとも導光板の入光面と直交する方向に延びるフレームの狭額縁化を促進し、かつ、面状照明装置における光学シートの位置決めを確実に行うことが可能となる。
【図面の簡単な説明】
【００２３】
【図１】本発明の第１の実施の形態に係る面状照明装置を示すものであり、（ａ）は平面図、（ｂ）は（ａ）のＡ部拡大図、（ｃ）は（ｂ）の要部拡大図である。
【図２】本発明の第２の実施の形態に係る面状照明装置を示す断面図である。
【図３】図２に示される面状照明装置の要部斜視図であり、（ａ）は光学シートに遮光シートを貼着する前の状態を、（ｂ）は貼着後の状態を示すものである。
【図４】板金フレームを有する面状照明装置への応用例を示す、要部斜視図である。
【図５】光学シートの表裏、上下の判別手段を示す斜視図である。
【図６】面状照明装置のフレームと光学シートとを示す斜視図であり、（ａ）は参考例として、従来の、タブを有する光学シートを用いたものを、（ｂ）は本発明の第２の実施の形態を、示すものである。
【図７】従来の面状照明装置を含む液晶表示装置を示すものであり、（ａ）は平面図、（ｂ）は（ａ）のＤ−Ｄ断面図、（ｃ）は（ａ）のＥ−Ｅ断面図である。
【発明を実施するための形態】
【００２４】
以下、本発明の実施の形態を図面に基づいて説明する。なお、従来技術と同一部分若しくは相当する部分については、適宜同一の符号を付して、詳しい説明を省略する。又、以下の説明における「上」、「下」の方向は、本説明における面状照明装置を平置きした状態での、上下方向を意味するものである。
図１には、本発明の第１の実施の形態に係る面状照明装置１０を示している。この面状照明装置１０の全体構成は、後述する本発明の第２の実施の形態に係る面状照明装置と同様であることから、適宜、第２の実施の形態に係る図２も参照しながら、以下に説明する。
【００２５】
まず、対向する一対の主面１２ａ、１２ｂのうちの一方１２ａを光の出射面とする導光板１２と、出射面１２ａに積層配置される少なくとも一枚の光学シート１８と、出射面１２ａの有効エリアを規定する遮光部材２０と、導光板１２の入光面１２ｃに対向して配置される光源１４としての（点状光源である）ＬＥＤと、これらの構成要素を収納するための、合成樹脂からなるフレーム１６とを含むものである。ところで、遮光部材２０によって規定される出射面１２ａの「有効エリア」は、導光板１２の側端面での光の反射等の影響を受けて出射光の均一性が低下する等、導光板１２の出射面１２ａの端縁部近傍に、不可避的に生じてしまう「非有効エリア」を除いたエリアである。本項に記載の面状照明装置は、導光板１２の出射面１２ａの平面視で、非有効エリアを遮光部材２０で覆い隠し、有効エリアからの出射光を最大限有効活用するものである。この遮光部材２０には、例えば遮光シートが用いられている。
なお、図２中に符号１６ｂで示される部分は、反射シート１１８を位置決めするための取付座であり、この取付座１６ｂに対して、両面テープ１２７（図７（ｂ）参照）を用いて、反射テープ１１８が固定されている。
【００２６】
光学シート１８の使用枚数は、必要に応じて適宜決定されるものであるが、本実施の形態では、導光板１２の出射面１２ａから数えた積層段が一段目の第１シート１８１と、第１シート１８１上に積層される第２シート１８２と、第２シート１８２上に積層される第３シート１８３との、３枚の光学シート１８を含むものである。一例として、第１シート１８１は拡散シート、第２シート１８２は下プリズムシート、第３シート１８３は上プリズムシートである。
そして、これらの各光学シート１８１、１８２、１８３は、導光板１２の、入光面１２ｃとの対向面１２ｅ（図２参照）側の端縁部１８ｂ（１８１ｂ、１８２ｂ、１８３ｂ）が、フレーム１６の内周面に当接して、平面視で揃えられた状態で、光学シート１８の端縁部１８１ｂ、１８２ｂ、１８３ｂの各々に、フレーム１６の内周面へ向けて突出する凸部１８１ｂＡ、１８２ｂＡ、１８３ｂＡが形成されている。これらの凸部形状は、平面視において同一位置に、同一形状で形成されていることから、これらの平面図を示した図１には、各凸部は共通の符号１８ｂＡで表示されている。又、図１を参照すると、フレーム１６の内周面へ向けて突出する凸部１８ｂＡは、二箇所（１８ｂＡ１、１８ｂＡ２）に形成さている。そして、フレーム１６の、凸部１８ｂＡとの対向する部位に、凸部１８ｂＡ１、１８ｂＡ２が配置される、二箇所の凹部１６ｄＡ（１６ｄＡ１、１６ｄＡ２）が形成されているものである。
【００２７】
更に、図１（ｃ）に拡大して示されるように、光学シート１８の凸部１８ｂＡ１、１８ｂＡ２の、少なくともその先端部が基端部に比して光学シート１８の面方向に広がる拡幅部を有している。又、フレーム１６の凹部１６ｄＡ１、１６ｄＡ２についても、光学シート１８の凸部１８ｂＡ１、１８ｂＡ２の拡幅部と相補的な関係を有する拡幅部を含むものである。なお、図１の例では、光学シート１８の凸部１８ｂＡ１、１８ｂＡ２及びフレーム１６の凹部１６ｄＡ１、１６ｄＡ２は、互いに間隔を空けて配置され、かつ、互いに異なる形状を有しているものである。
より具体的には、図１（ｂ）に示されるように、光学シート１８の、一箇所の凸部１８ｂＡ２に切り欠き形状ｒが形成されている。又、必須ではないが、適宜、切り欠き形状ｒと対応する凸形状ｐを、フレーム１６の対応する凹部１６ｄＡ２に形成することとしても良い。
なお、図１（ｃ）の上段に示されるように、光学シート１８の凸部１８ｂＡと、フレーム１６の凹部１６ｄＡとの間には、平面視で、寸法精度上不可避の隙間が確保されている。
【００２８】
さて、上記構成をなす、本発明の実施の形態によれば、次のような作用効果を得ることが可能である。
まず、本発明の第１の実施の形態に係る面状照明装置１０は、光学シート１８の、導光板１２の入光面１２ｃとの対向面１２ｅ側の端縁部１８ｂに、フレームの内周面へ向けて突出する凸部１８ｂＡが形成されたものである。そして、この凸部１８ｂＡが、フレーム１６の、凸部１８ｂＡとの対向部位に形成された凹部１６ｄＡに、係合するようにして凹部内に配置されることで、フレーム１６に対する光学シート１８の位置決めがなされるものである。この構成によれば、図１に示されるように、凹部１８ｂＡが、フレーム１６の、導光板１２の入光面１２ｃとの対向面１２ｅ側の端縁部に係る部分に形成され、これら凸部１８ｂＡ及び凹部１６ｄＡが、光学シート１８とフレーム１６との位置決め機能を発揮することから、特に、フレーム１６の導光板の入光面と直交する方向に延びる部分（図６（ａ）の凹部１２４ｃ参照）に、凹部を形成する必要が無く、この部分の狭額縁化を促進することが可能となる。
【００２９】
又、光学シート１８の凸部１８ｂＡ１の、先端部が基端部に比して光学シート１８の面方向に広がる拡幅部と、フレーム１６の凹部１６ｄＡ１の、凸部１８ｂＡの拡幅部と相補的な関係を有する拡幅部とにより、図１（ｃ）の下段に示されるように、フレーム１６から光学シート１８が離間する方向Ｙの相対移動を規制する、いわゆるアンダーカット構造（図１（ｃ）下段に楕円Ｕで囲んだ部分）を構成するものである。そして、このアンダーカット構造により、光学シート１８の凸部１８ｂＡと、フレーム１６の凹部１６ｄＡとの間に確保される、寸法精度上不可避の隙間の分だけ位置ずれが生じたとしても、それ以上の大きな位置ずれは規制され、フレーム１６と光学シート１８との位置決め機能を高めるものとなる。なお、図示の例では、拡幅部は台形状をなすことでアンダーカット構造を構成しているが、同様の機能を有する他の形状を採用することも可能である。
【００３０】
又、光学シート１８の凸部１８ｂＡ及びフレーム１６の凹部１６ｄＡは二箇所以上設けられており、光学シート１８の二箇所の凸部１８ｂＡ及びフレーム１６の二箇所の凹部１６ｄＡが、互いに離間する位置に配置されていることで、それぞれの箇所にてフレーム１６と光学シート１８との位置決め機能を発揮することとなる。そして、フレーム１６の導光板の入光面と直交する方向に延びる部分（図６（ａ）の凹部１２４ｃ参照）に、凹部を形成しなくとも、必要十分な位置決め効果を得ることが可能となる。なお、図示の例では、光学シート１８の凸部１８ｂＡ１、１８ｂＡ２及びフレーム１６の凹部１６ｄＡ１、１６ｄＡ２共に二箇所設けられているが、適宜、更に多数設けることとしても良い。
【００３１】
しかも、光学シート１８の凸部１８ｂＡ及びフレーム１６の凹部１６ｄＡは互いに異なる形状を有していることから、光学シート１８の表裏、上下の判別手段としても機能するものである。加えて、光学シート１８の、一箇所の凸部１８ｂＡ２に形成された切り欠き形状ｒによっても、光学シート１８の表裏、上下の判別を行なうことが可能となる。そして、この判別機能により、複数の光学シート１８の凸部１８１ｂＡ、１８２ｂＡ、１８３ｂＡを、平面視において同一位置に、同一形状で形成することが可能となり、これらと対応するフレーム１６の凹部１６ｄＡ１、１６ｄＡ２を、各光学シート１８の凸部１８１ｂＡ、１８２ｂＡ、１８３ｂＡに対して共通化させることも可能となる。
又、図１（ｂ）に例示されるように、光学シート１８の凸部１８ｂＡ２の切り欠き形状ｒと対応する凸形状ｐを、対応するフレーム１６の凹部１６ｄＡ２に形成すれば、これら切り欠き形状ｒ及び凸形状ｐの係合によっても、フレーム１６と光学シート１８との位置決め機能を高めることが可能となる。
【００３２】
さて、図２〜図４には、本発明の第２の実施の形態に係る面状照明装置を示している。ここで、本発明の第１の実施の形態と同一部分、若しくは相当する部分については、同一符号を付して詳しい説明を省略する。本発明の第２の実施の形態に係る面状照明装置１０についても、図１に示した第１の実施の形態に係る面状照明装置１０の構成を有しており、更に、次のような特徴部分を具備するものである。
本実施の形態では、各光学シート１８１、１８２、１８３は、導光板１２の、入光面１２ｃとの対向面１２ｅ（図２参照）側の端縁部１８１ｂ、１８２ｂ、１８３ｂが、フレーム１６の内周面に当接して、平面視で揃えられた状態で、導光板１２の出射面１２ａから数えた積層段が上段の光学シートほど、導光板１２の入光面１２ｃ側の端縁部１８１ａ、１８２ａ、１８３ａの位置が、導光板１２の入光面１２ｃから離間するように形成されている。
【００３３】
そして、遮光部材２０が、導光板１２の入光面１２ｃ側から、各光学シート１８１、１８２、１８３の、導光板１２の入光面１２ｃ側の各端縁部１８１ａ、１８２ａ、１８３ａの近傍を覆うようにして延びている。この、遮光部材２０は、各光学シート１８１、１８２、１８３の、導光板１２の入光面１２ｃ側の各端縁部１８１ａ、１８２ａ、１８３ａの近傍に対して、例えば両面テープ１３０（図３参照）や接着等によって固定されている。
【００３４】
又、導光板１２の出射面１２ａの、入光面１２ｃから中央部寄りの所定幅の範囲には、対向する一対の主面間の厚みを導光板の中央部に向けて薄くする傾斜面１２ｄが形成され、傾斜面１２ｄよりも中央部寄りの範囲は一定の厚みとなっている。
そして、各光学シート１８１、１８２、１８３のうち、第１シート１８１、第２シート１８２の、導光板１２の入光面１２ｃ側の端縁部１８１ａ、１８２ａから所定幅の範囲が、導光板１２の出射面１２ａに形成された傾斜面１２ｄに倣って傾斜している。
【００３５】
図２に示される例では、光源１４の配線基板１３２が、導光板１２の傾斜面１２ｄに沿って傾斜し、傾斜面１２ｄに対して両面テープ１３０で固定されている。そして、この配線基板１３２に、第１シート１８１が積層されることで、導光板１２の入光面１２ｃ側の端縁部１８１ａから所定幅の範囲が、導光板１２の傾斜面１２ｄに倣って傾斜している。又、第１シート１８１の、導光板１２の入光面１２ｃ側の端縁部１８１ａから所定幅の範囲の傾斜部分に、第２シート１８２が積層されることで、導光板１２の入光面１２ｃ側の端縁部１８２ａから所定幅の範囲も、導光板１２の傾斜面１２ｄに倣って傾斜している。なお、上記「所定幅の範囲」は、導光板１２の傾斜面１２ｄと、各シート１８１、１８２の端縁部１８１ａ、１８２ａとの位置関係によって定まるものである。
一方、導光板１２の出射面１２ａから数えた積層段が最上段に位置する、第３シート１８３は、その直ぐ下段に位置する第２シート１８２の傾斜面に掛かることなく、導光板１２の一定の厚みの部分の出射面１２ａと平行に配置されている。
【００３６】
又、図２に示されるように、各光学シート１８１、１８２、１８３のうち、導光板１２の出射面１２ａから数えた積層段が最上段に位置する第３シート１８３の上面１８３ｃと、その直ぐ下段に位置する第２シート１８２の、導光板１２の入光面１２ｃ側の端縁部１８２ａの上側エッジ１８２ｅとの、光学シート１８の積層方向に係る位置（上下方向の位置）が、一致ないし略一致している。
更に、各光学シート１８１、１８２、１８３のうち、導光板１２の出射面１２ａから数えた積層段が最下段に位置する第１シート１８１の、導光板１２の入光面側１２ｃの端縁部１８１ａの上側エッジ１８１ｅに対し、その直ぐ上段に位置する第２シート１８２の、導光板１２の入光面１２ｃ側の端縁部１８２ａの上側エッジ１８２ｅの、光学シート１８の積層方向に係る位置（上下方向の位置）が、下方に位置しているものである。
【００３７】
さて、図４には、本発明の応用例として、図２に示される合成樹脂からなるフレーム１６を、板金フレーム２２に置換した例を示している。この応用例においても、導光板１２、各光学シート１８１、１８２、１８３及び遮光部材２０は、図２、図３の例と同様の構成を有し、板金フレーム２２にも、適切な手法（工法）により、図１に示される樹脂フレーム１６の凹部１６ｄＡと同様の機能を発揮する凹部（図示省略）を設けることとする。そして、フレームが板金フレーム１６であることにより、フレーム自体が樹脂製フレームよりも大きな強度を備えるものとなる。なお、図４では図示していないが、必要に応じて上記各構成要素の、導光板１２の入光面１２ｃと直交する側面方向の位置決めを行うための突起を、板金フレーム２２に設けることとしても良い。
【００３８】
更に、必要に応じて、図５に例示されるように、各光学シートの表裏、上下の判別手段として、例えば、第１、第２シートの、導光板の入光面側の端縁部１８１ａ、１８２ａには、Ｃ面部１８１ｃ、１８２ｃを、第３シート１８３の、導光板の入光面側の端縁部１８３ａにはタブ１８３ｄを、平面視で非対称の位置に設けることとしても良い。
【００３９】
さて、上記構成をなす、本発明の第２の実施の形態によれば、上記第１の実施の形態で説明した作用効果に加えて、次のような作用効果を得ることが可能である。
すなわち、本発明の第２の実施の形態特有の作用効果としては、複数の光学シート１８１、１８２、１８３の、導光板１２の入光面１２ｃ側の端縁部１８１ａ、１８２ａ、１８３ａの位置が、導光板１２の出射面１２ａから数えた積層段が上段の光学シートほど、導光板１２の入光面１２ｃから離間するように形成されることにより、導光板１２の出射面１２ａを平面視する態様で、各光学シート１８１、１８２、１８３の、導光板１２の入光面１２ｃ側の端縁部１８１ａ、１８２ａ、１８３ａが、各々の上段に位置する光学シートに覆われることなく露出することとなる。この、各光学シート１８１、１８２、１８３の露出する端縁部１８１ａ、１８２ａ、１８３ａに、遮光部材２０が、導光板１２の入光面１２ｃ側から複数の光学シート１８の各端縁部１８１ａ、１８２ａ、１８３ａの近傍を覆うようにして延びることで、全ての光学シート１８１、１８２、１８３の各端縁部１８１ａ、１８２ａ、１８３ａ近傍が、遮光部材２０によって固定されるものである。
【００４０】
又、複数の光学シート１８１、１８２の、導光板１２の入光面１２ｃ側の端縁部１８１ａ、１８２ａから所定幅の範囲が、導光板１２の出射面１２ａに形成された傾斜面１２ｄに倣って傾斜していることにより、導光板１２の入光面１２ｃ側から複数の光学シート１８１、１８２、１８３の各端縁部１８１ａ、１８２ａ、１８３ａ近傍を覆うようにして延びる遮光部材２０が、各光学シート１８１、１８２の傾斜面に沿って固定されることとなる。これによって、導光板１２の入光面１２ｃ側から延びる遮光部材２０に、急峻な折り曲げ部が形成されることを防ぎ、各光学シート１８１、１８２、１８３に対する遮光部材２０の固定強度を十分に確保することが可能となる。
【００４１】
又、導光板１２の出射面１２ａから数えた積層段が最上段に位置する光学シート１８３については、導光板１２の一定の厚みの部分の出射面１２ａと平行に配置されることで、導光板１２の入光面１２ｃ側から複数の光学シート１８１、１８２、１８３の各端縁部１８１ａ、１８２ａ、１８３ａ近傍を覆うようにして延びる遮光部材２０の先端部２０ａの近傍も、最上段に位置する光学シート１８３上で、導光板１２の出射面１２ａと平行に配置されることとなる。そして、導光板１２の出射面１２ａと平行な遮光部材２０の面上に、ＬＣＤの偏光フィルム等の被照明体（図７のＬＣＤ１１０、一対のガラス基板１１２及び偏光板１１４を参照）を搭載することで、被照明体の安定を図ることが可能となる。
【００４２】
又、本発明の第２の実施の形態では、最上段に位置する第３シート１８３の上面１８３ｃと、その直ぐ下段に位置する第２シート１８２の、導光板１２の入光面１２ｃ側の端縁部１８２ａの上側エッジ１８２ｅとの、光学シート１８の積層方向（上下方向）に係る位置が、一致ないし略一致している。それによって、遮光部材２０の先端部２０ａ近傍の、光学シート１８の積層方向に係る位置が、導光板１２の出射面１２ａと平行に配置されることとなる。すなわち、遮光部材２０の先端部２０ａの近傍は、最上段に位置する第３シート１８３の上面１８３ｂのみならず、その直ぐ下段に位置する第２シート１８２の端縁部１８２ａの上側エッジ１８２ｅによっても、複数の光学シート１８の積層方向に係る位置が、一致ないし略一致する態様で支持されることで、遮光部材２０の先端部２０ａ近傍は、より広範囲に渡り、導光板１２の出射面１２ａと平行に、安定支持されるものとなる。
【００４３】
又、導光板１２の出射面１２ａから数えた積層段が最下段に位置する第１シート１８１の、導光板１２の入光面１２ｃ側の端縁部１８１ａの上側エッジ１８１ｅに対し、その直ぐ上段に位置する第２シート１８２の、導光板１２の入光面１２ｃ側の端縁部１８２ａの上側エッジ１８２ｅの、複数の光学シート１８の積層方向（上下方向）に係る位置が、下方に位置している。それによって、導光板１２の入光面１２ｃ側から複数の光学シート１８の各端縁部１８１ａ、１８２ａ、１８３ａ近傍を覆うようにして延びる遮光部材２０が、最下段に位置する第１シート１８１の傾斜面に倣って傾斜面を構成することとなる。そして、最下段に位置する光学シート１８１から、その直ぐ上段に位置する光学シート１８２へと遮光部材２０が乗り越える位置に至るまで、遮光部材２０の傾斜面を維持する（図２の、遮光部材２０の符号１８２ｅ周辺部を参照）。これによっても、遮光部材２０に急峻な折り曲げ部が形成されることを防ぎ、各光学シート１８に対する遮光部材２０の固定強度を十分に確保することが可能となる。
【００４４】
以上の作用効果によって、本発明の第２の実施の形態によれば、図６（ｂ）に示されるように、光学シート１８にタブ（図６（ａ）のタブ１２０ａ、及び、タブ１２０ａを受け入れるためのフレーム１２４の凹部１２４ｃ参照）を形成することなく、面状照明装置１０における光学シート１８の位置決めを確実に行うことが可能となる。特に、本発明の第２の実施の形態では、光学シート１８の互いに対向する端縁部に、互いに異なる位置決め機構を設けたことから、光学シート１８の位置決めをより一層確実に行うことが可能となる。そして、光学シート１８にタブを設けることに起因するフレーム１６の矢印Ｂ方向の薄肉化を図り、面状照明装置１０の更なる狭額縁化を促進することが可能となる。又、光学シート１８にタブを設けることに起因する、面状照明装置１０の輝度むらの発生を抑制することが可能となる。
なお、本発明の第２の実施の形態では、導光板の出射面に積層配置される複数の光学シートが、第１シート１８１、第２シート１８２及び第３シート１８３を含み、これら各シート１８によって、上記作用効果を奏するものであるが、光学シート１８の枚数に増減があっても、同様の作用効果が得られることは、理解されるであろう。
【符号の説明】
【００４５】
１０面状照明装置、１２導光板、１２ａ：出射面、１２ｂ：出射面と対向する主面、１２ｃ：入光面、１２ｄ：傾斜面、１２ｅ：対向面、  １４：光源、１６：フレーム、  １８：光学シート、１８１：第１シート、１８２：第２シート、１８３：第３シート、  １８１ａ、１８２ａ、１８３ａ：導光板の入光面側の端縁部、１８３ｃ：第３シートの上面、  １８１ｅ、１８２ｅ：端縁部の上側エッジ、２０：遮光部材、２２：板金フレーム
【図１】
2014026920.tif 000003
【図２】
2014026920.tif 000004
【図３】
2014026920.tif 000005
【図４】
2014026920.tif 000006
【図５】
2014026920.tif 000007
【図６】
2014026920.tif 000008
【図７】
2014026920.tif 000009